(57)【要約】  圧縮装置は、導入手段（１１）に連結された圧縮チャンバ（１）を具備し、上記導入手段は予め定められた量の圧縮すべき材料を実質的に回転運動させることによって上記圧縮チャンバ（１）に強制的に導入するように配設され、圧縮チャンバ（１）は少なくとも一つのプレート（２）を具備し、該プレート（２）は該プレート（２）に垂直な軸線回りで回転せしめられ且つ圧縮チャンバ（１）を横方向において少なくとも部分的に閉じるように配設される。
2008516773.tif 000002
【特許請求の範囲】
【請求項１】
導入手段（１１）に連結された圧縮チャンバ（１）を具備し、上記導入手段は予め定められた量の圧縮すべき材料を実質的に回転運動させることによって上記圧縮チャンバ（１）に強制的に導入するように配設される圧縮装置において、
上記圧縮チャンバ（１）は少なくとも一つのプレート（２）を具備し、該プレート（２）は該プレート（２）に垂直な軸線回りで回転せしめられ且つ圧縮チャンバ（１）を横方向において少なくとも部分的に閉じるように配設されることを特徴とする、圧縮装置。
【請求項２】
上記圧縮チャンバ（１）はほぼ筒状であることを特徴とする、請求項１に記載の圧縮装置。
【請求項３】
上記プレート（２）は端部壁の一つに関連して配置されることを特徴とする、請求項２に記載の圧縮装置。
【請求項４】
上記圧縮チャンバ（１）はほぼ円形の端部壁を有することを特徴とする、請求項２に記載の圧縮装置。
【請求項５】
上記圧縮チャンバ（１）の各端部壁に対して一つのプレート（２）を具備することを特徴とする、請求項２に記載の圧縮装置。
【請求項６】
上記プレートは上記端部壁の全面を完全に覆うような大きさとされることを特徴とする、請求項２に記載の圧縮装置。
【請求項７】
上記圧縮チャンバ（１）はそれぞれ軸線回りで回転可能な周囲ローラ（３）によって少なくとも部分的に境界が定められることを特徴とする、請求項１に記載の圧縮装置。
【請求項８】
上記圧縮チャンバ（１）の側方表面はそれぞれ軸線回りで回転可能な長手方向に配置された周囲ローラ（３）によって画成されることを特徴とする、請求項２に記載の圧縮装置。
【請求項９】
上記プレート（２）は円形であり、その縁部が圧縮チャンバ（１）の少なくとも一つの端部壁に関連して上記周囲ローラ（３）の端部に設けられた係合溝（４）内に係合することを特徴とする、請求項４及び８に記載の圧縮装置。
【請求項１０】
上記周囲ローラ（３）の少なくとも一つは二つの端部品（５）を有し、これら端部品のうち少なくとも一方は周囲ハブ（６）と係合して上記係合溝（４）を形成することを特徴とする、請求項８に記載の圧縮装置。
【請求項１１】
上記プレート（２）には、上記係合溝の相補的な第二フレア部（８）上に載置されるように配置された第一周囲フレア部（７）が設けられることを特徴とする、請求項９に記載の圧縮装置。
【請求項１２】
上記端部壁の中央においてプレート（２）を支持する支持ハブ（９）を具備することを特徴とする、請求項９に記載の圧縮装置。
【請求項１３】
上記プレート（２）には上記支持ハブ（９）を受容するための中央孔（１０）が設けられることを特徴とする、請求項１２に記載の圧縮装置。
【請求項１４】
上記支持ハブ（９）は少なくとも部分的に円錐形の側方表面を有することを特徴とする、請求項１３に記載の圧縮装置。
【請求項１５】
上記中央孔（１０）には上記支持ハブ（９）に係合するように配設されたフレア部が設けられることを特徴とする、請求項１４に記載の圧縮装置。
【請求項１６】
上記支持ハブ（９）はその軸線回りで回転せしめられることを特徴とする、請求項１２に記載の圧縮装置。
【請求項１７】
上記支持ハブ（９）はモータによって駆動せしめられることを特徴とする、請求項１６に記載の圧縮装置。
【請求項１８】
上記プレート（２）には強化リブが設けられることを特徴とする、請求項１に記載の圧縮装置。
【請求項１９】
上記モータから支持ハブ（９）に加えられる回転運動は上記プレート（２）及び周囲ローラ（３）に伝達されることを特徴とする、請求項１７に記載の圧縮装置。
【請求項２０】
装置上方部分（２０）を有する圧縮材料引出し手段を具備し、該装置上方部分（２０）は、一つのプレート（２）が当該装置に固定されたままとなり且つ一つのプレート（２）が装置上方部分（２０）に連結された状態で開かれることを特徴とする、請求項５に記載の圧縮装置。
【発明の詳細な説明】
【技術分野】
【０００１】
本発明は、主請求項の導入部に基づく圧縮装置に関する。
【背景技術】
【０００２】
現在の技術水準において、様々な材料、例えば干草、潅木等を圧縮するために用いられる装置は、圧縮室の軸線と平行な軸線回りで回転する複数の動力ローラによって側方表面における境界の区切られた軸線が水平であるほぼ円筒の圧縮チャンバ内に干草を供給する回転ローラを備えた入口を具備する。
【０００３】
圧縮チャンバの端部は圧縮すべき材料が圧縮され且つ擦り付けられる固定壁から成る。
したがって、これら端部壁は大きな摩耗及び圧力を受ける。
このような圧縮中の材料の擦りつけによりエネルギが浪費され且つ装置に大きな動力が要求されることになる。
【発明の開示】
【０００４】
本発明の目的は上記欠点のない圧縮装置を提供することにある。
特に、本発明の目的は要求される力及び駆動力の小さい圧縮装置を提供することにある。
【０００５】
本発明の別の目的は、端部壁の摩耗の小さい圧縮室を備えた圧縮装置を提供することにある。
本発明の更なる目的は、材料の圧縮が容易であり且つ圧縮時に材料の排出が容易である装置を提供することにある。
【０００６】
上記目的は特許請求の範囲に定義された独創的な特性を備えた圧縮装置によって達成される。
本発明は、添付の図面に図示された本発明を限定するものではない好適な実施形態の詳細な説明から明らかになるであろう。
【発明を実施するための最良の形態】
【０００７】
図１を参照すると、本発明の圧縮装置は、圧縮すべき材料を後方に位置する圧縮チャンバ１（図中では視認不可能）内に圧縮すべき材料を導入するための手段１１を具備する。圧縮装置は中央部分１２と二つの側方構成要素１３とを具備する。
【０００８】
図２は中央部分１２に対面する側部から見た圧縮装置の側方構成要素１３を示す。この側方構成要素１３は圧縮チャンバ１用の端部壁として作用する円形プレート２を具備することが分かる。このプレート２はプレート２の中央を通って延びる圧縮チャンバの軸線回りで自由に回転する。プレート２の全縁部周りに複数の周囲ハブ６が配置され（見易くするために、図中、これらハブ６の一つのみが参照番号６によって示されている）、これらハブ６は圧縮すべき材料が導入される入口の部分を除いてプレート２の全周を覆う。
【０００９】
図３を参照すると、各周囲ハブ６は周囲ローラ３の端部品５に連結されることが分かる。周囲ローラは周囲ハブ６に連結されると、圧縮すべき材料が導入される入口を除いて圧縮チャンバの側方表面を画成する。周囲ハブ６及び周囲ローラ３の端部品５の表面はプレート２の縁部を受容する係合溝４を画成する。
【００１０】
図４を参照すると、プレート２は圧縮装置の同じ側に配置された複数の係合溝４内に挿入される。このプレート２は、周囲ハブ６の第二フレア部８上に載置するように配設された第一フレア部７を縁部に有するのが好ましい。プレート２はその中央において中央孔１０に嵌合する支持ハブ９によって支持される。装置の外部において、固定壁１４が周囲ハブ６及び支持ハブ９用の支持部材として作用する。
【００１１】
圧縮すべき材料は圧縮チャンバ１内への導入手段によって接線方向に導入される。動力化された各周囲ローラ８は圧縮チャンバ１内で圧縮すべき材料の円運動を容易にするようにその軸線回りで回転する。圧縮チャンバ１の両端部に配置されたプレート２は周囲ローラ及び圧縮すべき材料の運動に引き摺られて回転し、これにより圧縮すべき材料の擦り付けが減少し、非力な装置を使用することができるようになる。圧縮チャンバ１に導入される材料の量が増大すると、圧縮チャンバ１の側方壁を画成する周囲ローラ３に対して材料が押し付けられ始める。周囲ローラを押す力は周囲ローラ３が圧縮チャンバ１内で圧縮すべき材料に加える圧縮力に等しい。このようにして形成された圧縮された材料の円筒状バールを排出するために、装置の上方部分２０は、図５から分かるように、ゲートの形態で開かれる。
【００１２】
固定壁１４は装置に固定されたままであり、左側のプレート２はこの固定壁に固定されたままである。これに対して、右側のプレート２は可動部分２０に連結された壁に固定され、この可動部分２０と共に上昇せしめられる。周囲ローラ３の回転及びその結果として生じるプレート２の回転は”回して外すこと（unscrewing）”によって形成された圧縮された材料のバールの排出を容易にする。
【００１３】
装置は、ほぼ円筒状の圧縮チャンバ１と、このチャンバの各端部にそれぞれ一つ配置された自由に回転可能な二つのプレート２とを具備するのが有利である。各プレート２は圧縮チャンバ１の端部を完全に覆うように延びる。プレート２の縁部は係合溝４内に挿入することによって拘束され、圧縮すべき材料の作用によるプレート２の変形を制限する。プレート２にはその変形を制限する強化リブが設けられてもよい。
【００１４】
支持ハブ９はプレート２の中央に設けられた相補的なフレア部内に挿入するのに適した円錐形状又は切頭円錐形状とされる。
【００１５】
装置はプレート２を回転させるために支持ハブ９に連結されたモータを具備し、このモータは、例えばギアの歯によって得られる周囲ハブ６との適切な係合によって周囲ローラ３を回転させる。
【図面の簡単な説明】
【００１６】
【図１】本発明の圧縮装置の正面図である。
【図２】圧縮装置の側方構成要素の斜視図である。
【図３】一つの周囲ローラの両端部を通る長手断面図である。
【図４】端部プレートと周囲ローラの上方及び下方のみとを示す、圧縮チャンバの一方の端部の長手断面図である。
【図５】開いた状態における本発明の圧縮装置の斜視図である。
【図１】
2008516773.tif 000003
【図２】
2008516773.tif 000004
【図３】
2008516773.tif 000005
【図４】
2008516773.tif 000006
【図５】
2008516773.tif 000007
【手続補正書】
【提出日】平成19年11月28日(2007.11.28)
【手続補正１】
【補正対象書類名】特許請求の範囲
【補正対象項目名】請求項１０
【補正方法】変更
【補正の内容】
【請求項１０】
上記周囲ローラ（３）の少なくとも一つは二つの端部品（５）を有し、これら端部品のうち少なくとも一方は周囲ハブ（６）と係合して上記係合溝（４）を形成することを特徴とする、請求項９に記載の圧縮装置。
【国際調査報告】
2008516773.tif 000008
2008516773.tif 000009
2008516773.tif 000010